(57)【要約】      （修正有）【課題】除菌，消臭等を付加したアロマの健康空気を、建物室内に放出し還流せしめて室内に清浄で健康な、いやしの空間を現出し、更に、色別の発光ダイオードを間欠的に発光させて、幻想的な光装飾を室内空間に演出する。【解決手段】本体全体がプラスチック等の軽量材からなるものとし、上部中心にフック（１）を固定した保持枠（２）に、上面に金網フィルター（３）をやや浮かして張架した小型送風機（４）を懸架固定し、当該小型送風機（４）の機枠内には色彩別の発光ダイオード（５）を配設し、更に、吐き出し側に送風筒（６）を保持せしめ、吸い込み側となる保持枠（２）と金網フィルター（３）との間隙には、下底面に複数の吸い出し孔（７ａ）を穿設したアロマケース（７）を介装せしめると共に、アロマケース（７）内には除菌剤等を混在させた芳香剤（８）を充填する構造とした。【選択図】図１
0003120014.tif 000002
【実用新案登録請求の範囲】
【請求項１】
本体全体がプラスチック等の軽量材からなり、上部中心にフック（１）を固定した保持枠（２）に、上面に金網フィルター（３）をやや浮かして張架した小型送風機（４）を懸架固定し、小型送風機（４）の吐き出し側に送風筒（６）を保持せしめ、吸い込み側となる保持枠（２）と金網フィルター（３）との間隙には、下底面に複数の吸い出し孔（７ａ）を穿設し、送風機のモーターケース（４ａ）の径と同一程度の直径としたアロマケース（７）を介装せしめ、アロマケース（７）内には除菌剤等を混在させた芳香剤（８）を充填する構造とした吊り下げ型の健康空気室内還流器。
【請求項２】
小型送風機（４）の機枠内には色彩別の発光ダイオード（５）を配設した構造とした請求項１記載の吊り下げ型の健康空気室内還流器。
【考案の詳細な説明】
【技術分野】
【０００１】  本考案は、抗菌，除菌，消臭等を付加したアロマの健康空気を、天井に吊り下げた僅少電力で稼働する送風筒付の小型軸流送風機で、建物室内にあまねく還流せしめることにより、室内に清浄で健康な、いやしの空間を現出すると共に、送風機に付帯させた色別の発光ダイオードを間欠的に発光させて、視覚的にも幻想的な光装飾を演出できる吊り下げ型の健康空気室内還流器に関する。
【背景技術】
【０００２】  室内の空気を均一にするため、送風筒を排出側に保持した小型送風機を用い空気を還流せしめる方法は、例えば、特許第３０３２８８６号（特許文献１）によって提案されている。
【特許文献１】特許第３０３２８８６号公報
【考案の開示】
【考案が解決しようとする課題】
【０００３】  特許文献１のものは、小型送風機からの送風流を送風筒によって送風力の減衰なく部屋の隅まで到達させ、室内の空気を還流させて室内温度を単に均一化するものであるが、本考案では、この送風筒付小型送風機で除塵，除菌，消臭等を兼ねたアロマの健康空気を作り出し、室内に放出して還流させて、クリーンでアロマのいやしの空間を現出し、併せて小型送風機に光りの色彩インテリヤも兼ねさせるものである。
【課題を解決するための手段】
【０００４】  本考案は、本体全体がプラスチック等の軽量材からなるものとし、上部中心にフック（１）を固定した保持枠（２）に、上面に金網フィルター（３）をやや浮かして張架した小型送風機（４）を懸架固定し、当該小型送風機（４）の機枠内には色彩別の発光ダイオード（５）を配設し、更に、吐き出し側に送風筒（６）を保持せしめ、吸い込み側となる保持枠（２）と金網フィルター（３）との間隙には、下底面に複数の吸い出し孔（７ａ）を穿設し、且つ送風機のモーターケース（４ａ）の径と同一程度の直径としたアロマケース（７）を介装せしめると共に、アロマケース（７）内には除菌剤等を混在させた芳香剤（８）を充填する構造とした。
【考案の効果】
【０００５】  本考案は、部屋の天井に本体上部のフック（１）で吊り下げ、送風筒付の小型送風機（４）を稼働して、アロマの所謂健康空気を室内還流させ、同時に発光ダイオード（５）を間欠的に色彩発光させるもので、健康空気は、送風筒（６）によって遠方まで送風して室内を還流するので、室内に清浄で香りの良い健康な空気のいやしの空間を現出する効果と共に、機枠内に配設した発光ダイオード（５）が彩色豊かに間欠的に発光して、視覚的にも幻想的な室内インテリヤを兼ねた光装飾を演出する効果があり、更に、小型送風機（４）は僅少電力の消費で省エネ効果もある。【０００６】  本願に於ては、本体全体はプラスチック等の軽量材としたから、天井に吊す作業も容易で安全であり、芳香剤（８）に混在させる抗菌剤，除菌剤，防虫剤，消臭剤等の種類により様々な特徴の健康空気を創出できる効果もある。
【考案を実施するための最良の形態】
【０００７】  本考案は、本体全体がプラスチック等の軽量材からなるものとし、上部中心にフック（１）を固定した保持枠（２）に、上面に金網フィルター（３）をやや浮かして張架した小型送風機（４）を懸架固定し、当該小型送風機（４）の機枠内には色彩別の発光ダイオード（５）を配設し、更に、吐き出し側に送風筒（６）を保持せしめ、吸い込み側となる保持枠（２）と金網フィルター（３）との間隙には、下底面に複数の吸い出し孔（７ａ）を穿設し、且つ送風機のモーターケース（４ａ）の径と同一程度の直径としたアロマケース（７）を介装せしめると共に、アロマケース（７）内には除菌剤等を混在させた芳香剤（８）を充填する構造としたものである。【０００８】  部屋の天井に本体上部のフック（１）で吊り下げ、送風筒付の小型送風機（４）を稼働すると、室内の空気は、全体的に還流する。この時、小型送風機（４）の吸い込み側の空気流は、アロマケース（７）の外周壁面に沿った層流となって流下するが、アロマケース（７）の直径を送風機のモーターケース（４ａ）の径と同一程度の直径としたので、流下する層流の空気流は、流速による負圧でアロマケースの吸い出し孔（７ａ）からアロマを吸い出して、金網フィルター（３）で除塵された空気流と共に、モーターケース外周の送風羽根に直接吸い込まれ流下して送風筒から送出される。【０００９】  即ち、アロマケース（７）内の芳香剤（８）の香りを吸い出し孔（７ａ）から吸い出して帯同すると同時に、室内の汚れた空気の塵埃は、金網フィルター（３）を通過して除塵浄化され清浄空気となり、除菌，消臭等を付加したアロマの所謂健康空気となって、送風筒（６）によって遠方まで送風して室内をあまねく還流せしめるので、健康空気が室内全体に拡散され、室内に清浄で香りの良い健康な空気の満ち溢れたいやしの空間を現出する。【００１０】  同時に、小型送風機の透明な機枠内に配設した彩色豊かな発光ダイオード（５）が間欠的に色彩発光して、視覚的にも幻想的な室内インテリヤを兼ねた光装飾を演出し、更に、小型送風機（４）は僅少電力の消費で省エネ効果になる。【００１１】  本願に於ては、本体全体はプラスチック等の軽量材としたから、天井に吊す作業も容易で安全であり、時折交換する芳香剤（８）に混在させる抗菌剤，除菌剤，防虫剤，消臭剤等の種類により様々な特徴の健康空気を創出できる。【００１２】  送風筒付の小型送風機（４）は、小型送風機の送風側に、隙間を保って送風筒（６）を保持した構造のものであって、送風される空気流は、初速度の減衰が少ない状態で遠方まで送られ、室内空間の空気が全体的に還流され、しかも電源は、ＤＣ電圧変換のＡＣアダプターで、所要の電圧は、数ボルトから十数ボルトの低電圧でよく、消費電力は極めて僅少なので省エネ効果も著しい。【００１３】  全体が軽量化された本体は、天井への懸架作業が安全容易であり、芳香剤（８）を充填したアロマケース（７）は、プラスチック等の透明ケースとすれば中の量を確認することが出来、芳香剤には除菌，抗菌，防虫，消臭，除湿等様々な薬剤を混入して目的に適した健康空気を作り出し室内に放出することができる。
【図面の簡単な説明】
【００１４】
【図１】  本考案の側面図である。
【図２】  本考案の室内に配設した実施例の側面図である。
【符号の説明】
【００１５】１  フック
２  保持枠
３  金網フィルター
４  小型送風機
５  発光ダイオード
６  送風筒
７  アロマケース
７ａ  吸い出し孔
８  芳香剤
【図１】
0003120014.tif 000003
【図２】
0003120014.tif 000004